(57)【要約】【課題】操作者の興味にあったリンク情報を収集することができるリンク情報配送システム等を提供することを目的とする。【解決手段】ライブラリ・リンクサーバ１００は、ユーザにより入力された検索キーをユーザ端末３００から受信し、その検索キーに基づくリンク情報を検索してリンク一覧を生成し、ユーザ端末３００に提供する。ユーザ端末３００は、ユーザにより選択されたリンクによりコンテンツをリクエストするとともに、そのリンクに付与されている知識ＩＤを送信する。ライブラリ・リンクサーバ１００は、その知識ＩＤに基づくリンク情報を検索して新たなリンク一覧を生成し、コンテンツとともに新たなリンク一覧をユーザ端末３００に提供する。【選択図】  図１
2005011175.tif 000002
【特許請求の範囲】
【請求項１】
リンク情報を提供するリンク情報配送装置と、
前記リンク情報配送装置と通信可能であり、前記リンク情報配送装置からリンク情報を受信する端末装置と、
を備えたリンク情報配送システムであって、
前記端末装置は、操作者から指定されたコンテンツまたはリンク情報の属性を特定するためのデータを、前記リンク情報配送装置に送信する送信手段を備え、
前記リンク情報配送装置は、当該属性を特定するためのデータに基づいて、複数のリンク情報が記述された新規リンク集合データを生成する生成手段と、当該新規リンク集合データを前記端末装置に送信する送信手段とを備えたこと、
を特徴とするリンク情報配送システム。
【請求項２】
端末装置と通信可能であって、リンク情報を提供するリンク情報配送装置であって、
前記端末装置からコンテンツまたはリンク情報の属性を特定するためのデータを受信して、当該データに基づいて、複数のリンク情報が記述された新規リンク集合データを生成する生成手段と、
当該新規リンク集合データを前記端末装置に送信する送信手段と、
を備えたことを特徴とするリンク情報配送装置。
【請求項３】
端末装置と通信可能なコンピュータを用いて、リンク情報配送装置を実現するプログラムであって、
コンピュータを、
前記端末装置から受信したデータであって、コンテンツまたはリンク情報の属性を特定するためのデータに基づいて、複数のリンク情報が記述された新規リンク集合データを生成する生成手段、
当該新規リンク集合データを前記端末装置に送信する送信手段、
として機能させるためのプログラム。
【請求項４】
請求項１ないし請求項３のいずれかのシステム、装置またはプログラムにおいて、
前記端末装置は、複数のリンク情報が記述されたリンク集合画面において、操作者により選択されたリンク情報の属性を特定するためのデータを、前記リンク情報配送装置に送信することを特徴とするもの。
【請求項５】
請求項１ないし請求項３のいずれかのシステム、装置またはプログラムにおいて、
前記端末装置は、操作者から入力を受けて、操作者に提示しているコンテンツの属性を特定するためのデータを、前記リンク情報配送装置に送信することを特徴とするもの。
【請求項６】
請求項１ないし請求項５のいずれかのシステム、装置またはプログラムにおいて、
前記リンク情報配送装置は、
複数のリンク情報に対応づけて、当該リンク情報に関連づけられるコンテンツに付与された属性を特定するためのデータを記憶するリンク情報テーブルを備え、
当該リンク情報テーブルにおいて、コンテンツまたはリンク情報の属性を特定するためのデータを用いてリンク情報を検索し、当該検索結果に基づいて前記新規リンク集合データを生成することを特徴とするもの。
【請求項７】
請求項１ないし請求項６のいずれかのシステム、装置またはプログラムにおいて、
前記リンク情報配送装置は、コンテンツを提供するコンテンツ提供部を備え、
前記端末装置は、複数のリンク情報が記述されたリンク集合画面において、操作者により選択されたリンク情報に関連づけられたコンテンツの配送指令を、前記リンク情報配送装置に送信し、
前記リンク情報配送装置は、当該コンテンツを前記端末装置に送信することを特徴とするもの。
【請求項８】
請求項１ないし請求項７のいずれかのシステム、装置またはプログラムにおいて、
さらに、コンテンツを提供する１または複数のコンテンツ配送装置を備え、
前記端末装置は、複数のリンク情報が記述されたリンク集合画面において、操作者により選択されたリンク情報に関連づけられたコンテンツの配送指令を、前記コンテンツ配送装置に送信し、
前記コンテンツ配送装置は、当該コンテンツを前記端末装置に送信することを特徴とするもの。
【請求項９】
請求項７または請求項８のシステム、装置またはプログラムにおいて、
前記端末装置は、
複数のリンク情報が記述されたリンク集合画面において、操作者からリンク情報の選択を受けて、
選択されたリンク情報の属性を特定するためのデータを、前記リンク情報配送装置に送信する処理とともに、当該選択されたリンク情報に関連づけられたコンテンツの配送指令を前記リンク情報配送装置または前記コンテンツ配送装置に送信する処理を実行する二重処理手段を備えていることを特徴とするもの。
【請求項１０】
請求項９のいずれかのシステム、装置またはプログラムにおいて、
前記リンク情報配送装置は、前記リンク集合画面データとともに前記二重処理手段を、前記端末装置に送信することを特徴とするもの。
【請求項１１】
請求項１０のシステム、装置またはプログラムにおいて、
前記コンテンツ配送装置は、複数のリンク情報を記憶する記憶手段、および当該記憶手段におけるリンク情報を更新する更新手段とを備え、前記リンク情報配送装置から指令を受信して、前記記憶手段におけるリンク情報をリンク情報配送装置に送信することを特徴とするもの。
【請求項１２】
リンク情報を提供する第一サーバコンピュータおよびコンテンツを提供する第二サーバコンピュータと通信可能な端末装置であって、
操作者により選択された選択リンク情報の属性を特定するためのデータを、前記第一サーバコンピュータに送信するとともに、当該選択リンク情報に関連づけられたコンテンツの配送指令を前記第二サーバコンピュータに送信する二重処理手段と、
前記第一サーバコンピュータから複数のリンク情報が記述された新規リンク集合データを取得し、前記第二サーバコンピュータから前記選択リンク情報に関連づけられたコンテンツを取得する取得手段と、
を備えたこと特徴とする端末装置。
【請求項１３】
コンテンツおよび新規リンク集合データを取得するコンピュータを実現するためのプログラムであって、
コンピュータに、
複数のリンク情報が記述されたリンク集合画面において、操作者からリンク情報の選択を受けて、
選択されたリンク情報の属性を特定するためのデータを、新規リンク集合データを生成させるためのデータとして、当該新規リンク集合データを生成するコンピュータに送信する処理と、当該選択されたリンク情報に関連づけられたコンテンツの配送指令を、当該コンテンツを提供するコンピュータに送信する処理を、同時に実行させるためのプログラム。
【請求項１４】
請求項１ないし請求項１３のいずれかのシステム、装置またはプログラムにおいて、
コンテンツの前記属性を特定するためのデータは、
当該コンテンツデータに含まれる複数の要素語データと、基本語データおよび当該基本語の定義に関連する関連語データとの適合性から得られた、前記基本語データおよび前記関連語データに基づく属性データであることを特徴とするもの。
【請求項１５】
請求項１ないし請求項１３のいずれかのシステム、装置またはプログラムにおいて、
リンク情報の前記属性を特定するためのデータは、
当該リンク情報に関連づけられたコンテンツデータに含まれる複数の要素語データと、基本語データおよび当該基本語の定義に関連する関連語データとの適合性から得られた、前記基本語データおよび前記関連語データに基づく属性データであることを特徴とするもの。
【請求項１６】
請求項１４または請求項１５のシステム、装置またはプログラムにおいて、
前記基本語データは、タイトルと内容が関連づけて記録された基礎コンテンツデータから抽出されたタイトルデータであり、
前記関連語データは、前記基礎コンテンツデータから抽出された特徴部分データにおいて特定された各語の中から抽出されたものであることを特徴とするもの。
【請求項１７】
リンク情報を提供するサーバコンピュータと、
前記サーバコンピュータと通信可能な端末コンピュータと、
を用いて実現するリンク情報配送方法であって、
前記端末コンピュータにて、操作者から指定されたコンテンツまたはリンク情報の属性を特定するためのデータを、前記サーバコンピュータに送信させ、
前記サーバコンピュータにて、当該属性を特定するためのデータに基づいて、複数のリンク情報が記述された新規リンク集合データを生成させ、当該新規リンク集合データを前記端末コンピュータに送信させる、
ことを特徴とするリンク情報配送方法。
【請求項１８】
リンク情報を提供する第一サーバコンピュータと、
コンテンツを提供する第二サーバコンピュータと、
前記第一サーバコンピュータおよび前記第二サーバコンピュータと通信可能な端末コンピュータと、
を用いて実現するリンク情報配送方法であって、
前記端末コンピュータにて、操作者により選択されたリンク情報の属性を特定するためのデータを、前記第一サーバコンピュータに送信させるとともに、当該選択されたリンク情報に関連づけられたコンテンツの配送指令を前記第二サーバコンピュータに送信させ、
前記第一サーバコンピュータにて、前記端末コンピュータから受信した属性を特定するためのデータに基づいて、複数のリンク情報が記述された新規リンク集合データを生成させ、当該新規リンク集合データを前記端末コンピュータに送信させる、
ことを特徴とするリンク情報配送方法。
【請求項１９】
リンク情報を提供する第一サーバコンピュータと、
コンテンツを提供する第二サーバコンピュータと、
前記第一サーバコンピュータおよび前記第二サーバコンピュータと通信可能な端末コンピュータと、
を用いて実現するリンク情報配送方法であって、
前記端末コンピュータにて、操作者からの入力を受けて、コンテンツの配送指令を前記第二サーバコンピュータに送信させ、
前記第二サーバコンピュータにて、当該コンテンツの配送指令に基づくコンテンツを前記端末コンピュータに送信させるとともに、当該コンテンツの属性を特定するためのデータを前記第一サーバコンピュータに送信させ、
前記第一サーバコンピュータにて、当該属性を特定するためのデータに基づいて、複数のリンク情報が記述された新規リンク集合データを生成させ、当該新規リンク集合データを前記端末コンピュータに送信させる、
ことを特徴とするリンク情報配送方法。
【発明の詳細な説明】
【０００１】
【発明の属する技術分野】
この発明は、リンク情報を提供するシステム、装置等に関するものであり、特に、ユーザの興味にあったリンク情報を提供するものである。
【０００２】
【従来の技術】
リンク情報の一覧を提供するシステムとして、例えば、以下のようなＷＷＷ検索システムがある（特許文献１参照）。まず、ユーザは、クライアントのブラウザにより所定のＵＲＬを指定して、インターネット上のＷＷＷ検索システムにアクセスする。クライアントは、ＷＷＷ検索システムが提供する検索用ウエブページ（ＨＴＭＬファイル）を受信する。
【０００３】
クライアントは、ユーザにより入力された検索キーワードを、ＷＷＷ検索システムに送信する。ＷＷＷ検索システムは、クライアントからのキーワードにより検索用データベースを検索し、リンク情報（ＵＲＬ、タイトル、サマリーなどを含む情報）を取得する。そして、リンク情報を所定の順番で並べ、検索結果リストのページ（リンク一覧ページ）を作成してクライアントに送信する。
【０００４】
次に、ユーザは、リンク一覧ページのリストの中から、閲覧を希望するリンク領域をクリックする。クライアントは、リンク一覧ページに記述されているリンク先ＵＲＬに従って、所定のＷＷＷサーバに接続してウエブページデータを取得する。
【０００５】
【特許文献１】
特開２００２−３４２３７１号公報（第４頁）。
【０００６】
【発明が解決しようとする課題】
しかしながら、上記のＷＷＷ検索システムでは、以下のような問題が生じ得る。
第一に、所望のウエブページが得られるまで、何度も、リンク一覧ページに戻り、リンク領域のクリック操作を行わなければならず、所望のウエブページを迅速に取得できない。
【０００７】
第二に、多くの有用なウエブページ（ユーザの興味にあったウエブページ）にリンクするリンク一覧ページを生成することは困難である。また、それゆえに有用なウエブページを迅速に取得できない。そこで、この発明は、操作者の興味にあったリンク情報を収集することができるリンク情報配送システム等を提供することを目的とする。
【０００８】
【課題を解決するための手段および発明の効果】
（１）（２）（３）（１７）  この発明のリンク情報配送システムは、リンク情報を提供するリンク情報配送装置と、リンク情報配送装置と通信可能であり、リンク情報配送装置からリンク情報を受信する端末装置とを備えたシステムであって、端末装置は、操作者から指定されたコンテンツまたはリンク情報の属性を特定するためのデータを、リンク情報配送装置に送信する送信手段を備え、リンク情報配送装置は、当該属性を特定するためのデータに基づいて、複数のリンク情報が記述された新規リンク集合データを生成する生成手段と、当該新規リンク集合データを端末装置に送信する送信手段とを備えたことを特徴とする。
【０００９】
したがって、操作者により指定されたリンク情報（またはコンテンツ）の属性を特定するためのデータに基づいて、新規リンク集合データを生成するため、操作者の興味にあったリンク情報を収集でき、有用なリンク情報を提供することができる。
【００１０】
一方で、操作者は、所望のリンク情報（またはコンテンツ）を指定することにより、何ら意識することなく、操作者の興味にあったリンク情報の集合を、簡易かつ迅速に取得することができる。これにより、興味にあったコンテンツを数多く閲覧したり、迅速に見つけ出したりすることができる。
【００１１】
（４）  この発明のリンク情報配送システムにて、端末装置は、複数のリンク情報が記述されたリンク集合画面において、操作者により選択されたリンク情報の属性を特定するためのデータを、リンク情報配送装置に送信することを特徴とする。
【００１２】
したがって、操作者は、リンク集合画面において所望のリンク情報を指定することにより、何ら意識することなく、新規リンク集合データ（つまり、新たに生成されたリンク集合画面）を取得することができる。また、指定したリンク情報に関連づけられたコンテンツも取得することができる。つまり、所望のリンク情報を指定すれば、コンテンツを閲覧できるとともに、自動的に、操作者の興味にあったリンク情報の集合を得ることができる。
【００１３】
（５）  この発明のリンク情報配送システムにて、端末装置は、操作者から入力を受けて、操作者に提示しているコンテンツの属性を特定するためのデータを、リンク情報配送装置に送信することを特徴とする。
【００１４】
したがって、コンテンツを操作者に提示している状態で、操作者から所定の入力を受けた場合に、当該コンテンツの属性を特定するためのデータを送信することができる。一方で、操作者は、コンテンツの閲覧時に、所定の入力を行うことにより、新規リンク集合データを簡易に取得することができる。
【００１５】
（６）  この発明のリンク情報配送システムにて、リンク情報配送装置は、複数のリンク情報に対応づけて、当該リンク情報に関連づけられるコンテンツに付与された属性を特定するためのデータを記憶するリンク情報テーブルを備え、当該リンク情報テーブルにおいて、端末装置から受信した属性を特定するためのデータを用いてリンク情報を検索し、当該検索結果に基づいて新規リンク集合データを生成することを特徴とする。したがって、リンク情報テーブルにおいて検索することにより、操作者の興味にあったリンク情報を簡易に収集できる。
【００１６】
（７）  この発明のリンク情報配送システムにて、リンク情報配送装置は、コンテンツを提供するコンテンツ提供部を備え、端末装置は、複数のリンク情報が記述されたリンク集合画面において、操作者により選択されたリンク情報に関連づけられたコンテンツの配送指令を、リンク情報配送装置に送信し、リンク情報配送装置は、当該コンテンツを端末装置に送信することを特徴とする。
【００１７】
したがって、操作者は、所望のリンク情報を選択すれば、リンク情報配送装置から、新規リンク集合データとともにコンテンツ（選択したリンク情報に関連づけられたコンテンツ）を得ることができる。
【００１８】
（８）  この発明のリンク情報配送システムは、さらに、コンテンツを提供する１または複数のコンテンツ配送装置を備え、端末装置は、複数のリンク情報が記述されたリンク集合画面において、操作者により選択されたリンク情報に関連づけられたコンテンツの配送指令を、コンテンツ配送装置に送信し、コンテンツ配送装置は、当該コンテンツを端末装置に送信することを特徴とする。
【００１９】
したがって、操作者は、所望のリンク情報を選択すれば、リンク情報配送装置からの新規リンク集合データとともに、コンテンツ配送装置からコンテンツ（選択したリンク情報に関連づけられたコンテンツ）を得ることができる。
【００２０】
（９）（１２）（１３）（１８）  この発明のリンク情報配送システムにて、端末装置は、複数のリンク情報が記述されたリンク集合画面において、操作者からリンク情報の選択を受けて、選択されたリンク情報の属性を特定するためのデータを、リンク情報配送装置に送信する処理とともに、当該選択されたリンク情報に関連づけられたコンテンツの配送指令をコンテンツ配送装置に送信する処理を実行する二重処理手段を備えていることを特徴とする。
【００２１】
したがって、操作者によるリンク情報の選択を受けて、属性を特定するためのデータとコンテンツの配送指令を送信することができる。このため、両者の処理を実行するための入力操作を行う必要はなく、操作性の向上、処理の迅速性を確保することができる。
【００２２】
（１０）  この発明のリンク情報配送システムにて、リンク情報配送装置は、リンク集合画面データとともに二重処理手段を、端末装置に送信することを特徴とする。したがって、端末装置は、二重処理手段を簡易に取得でき、操作性の向上、処理の迅速性を確保することができる。
【００２３】
（１１）  この発明のリンク情報配送システムは、コンテンツ配送装置は、複数のリンク情報を記憶する記憶手段、および当該記憶手段におけるリンク情報を更新する更新手段とを備え、リンク情報配送装置から指令を受信して、記憶手段におけるリンク情報をリンク情報配送装置に送信することを特徴とする。
【００２４】
したがって、コンテンツ提供者が、各コンテンツ配送装置にてリンク情報を更新する方式（分散してリンク情報を管理する方式）において、リンク情報配送装置は、各コンテンツ配送装置にて更新されたリンク情報を収集することができる。例えば、リンク情報配送装置が、一括してリンク情報を管理することが困難な場合でも、各コンテンツ配送装置が管理するリンク情報を、新規リンク集合データとして端末装置に提供することができる。
【００２５】
（１４）  この発明のリンク情報配送システムにて、コンテンツの属性を特定するためのデータは、当該コンテンツデータに含まれる複数の要素語データと、基本語データおよび当該基本語の定義に関連する関連語データとの適合性から得られた、基本語データおよび関連語データに基づく属性データであることを特徴とする。
【００２６】
（１５）  この発明のリンク情報配送システムにて、リンク情報の属性を特定するためのデータは、当該リンク情報に関連づけられたコンテンツデータに含まれる複数の要素語データと、基本語データおよび当該基本語の定義に関連する関連語データとの適合性から得られた、基本語データおよび関連語データに基づく属性データであることを特徴とする。
【００２７】
したがって、コンテンツデータに対して、基本語だけでなく関連語との適合性を判断することにより、コンテンツデータの内容がより正確に考慮され、その適合性に基づく正確性の高い属性データ（コンテンツまたはリンク情報の属性を特定するためのデータ）を得ることができる。このため、この属性データを利用すれば、操作者の興味にあったリンク情報をより正確に収集でき、有用な新規リンク集合データを生成することができる。
【００２８】
（１６）  この発明のリンク情報配送システムにて、基本語データは、タイトルと内容が関連づけて記録された基礎コンテンツデータから抽出されたタイトルデータであり、関連語データは、基礎コンテンツデータから抽出された特徴部分データにおいて特定された各語の中から抽出されたものであることを特徴とする。
【００２９】
したがって、タイトルと内容が関連づけて記録されたコンテンツから、基本語データおよび基本語の定義に関連する関連語データを得ることができる。この基本語データ等から、コンテンツまたはリンク情報の属性を特定するためのデータを得ることができる。
【００３０】
（１９）  この発明のリンク情報配送方法は、リンク情報を提供する第一サーバコンピュータと、コンテンツを提供する第二サーバコンピュータと、第一サーバコンピュータおよび第二サーバコンピュータと通信可能な端末コンピュータとを用いて実現する方法であって、端末コンピュータにて、操作者からの入力を受けて、コンテンツの配送指令を第二サーバコンピュータに送信させ、第二サーバコンピュータにて、当該コンテンツの配送指令に基づくコンテンツを端末コンピュータに送信させるとともに、当該コンテンツの属性を特定するためのデータを第一サーバコンピュータに送信させ、第一サーバコンピュータにて、当該属性を特定するためのデータに基づいて、複数のリンク情報が記述された新規リンク集合データを生成させ、当該新規リンク集合データを端末コンピュータに送信させることを特徴とする。
【００３１】
したがって、端末コンピュータは、第二サーバコンピュータにコンテンツの配送指令を送信すれば、当該コンテンツとともに新規リンク集合データを取得することができる。言い換えれば、第一および第二サーバコンピュータ間で、自動的に新規リンク集合データが生成され、端末コンピュータに送信される。
【００３２】
なお、この発明において、「リンク情報配送装置」とは、リンク情報を提供する装置であり、下記の実施形態では、ライブラリ・リンクサーバ１００に該当する。「生成手段」とは、新規リンク集合データを生成する手段であり、下記の実施形態では、図４ｂステップＳ４０の処理を実行するときのＣＰＵ１２０に該当する。「コンテンツ配送装置」とは、コンテンツを提供する装置であり、下記の実施形態では、ライブラリ・リンクサーバ１００に該当する。また、図９ａ、図９ｂ、図１８に示すシステムではコンテンツサーバに、図１２に示すシステムではコンテンツ提供装置２２０、２４０、２６０に該当する。
【００３３】
「新規リンク集合データ」は、コンテンツまたはリンク情報の属性を特定するためのデータに基づいて生成されたものであり、下記の実施形態では、図４ｂステップＳ４０にて生成されるリンク一覧ページ（図６Ｂ）に該当する。
【００３４】
「リンク情報テーブル」とは、複数のリンク情報に対応づけて、当該リンク情報に関連づけられるコンテンツに付与された属性を特定するためのデータを記憶するものである。下記の実施形態では、図３に示すリンク情報ＤＢ１５０に該当する。「二重処理手段」とは、リンク情報の属性を特定するためのデータを送信する処理とともに、コンテンツの配送指令を送信する処理を実行する手段であり、下記の実施形態では、図７に示すＪａｖａスクリプト（商標）を実行するときのＣＰＵ１２０に該当する。
【００３５】
「要素語データ」とは、コンテンツデータに含まれるものであり、下記の実施形態では、例えば、図２０に示す文書の各用語に該当する。「基本語」とは、その定義が関連語と関連するものであり、下記の実施形態では、図１３Ａに示す知識辞書における知識名に該当する。「関連語」とは、基本語の定義に関連するものであり、下記の実施形態では、図１３Ａに示す知識辞書における定義語、補助定義語、連想語に該当する。
【００３６】
「操作者から指定されたコンテンツの属性を特定するためのデータ」には、コンテンツを操作者に提示している状態で、操作者から所定の入力を受けたときの、当該コンテンツの属性を特定するためのデータを含む概念である。「プログラム」とは、ＣＰＵにより直接実行可能なプログラムだけでなく、ソース形式のプログラム、圧縮処理がされたプログラム、暗号化されたプログラム等を含む概念である。
【００３７】
【発明の実施の形態】
１．  システムの構成
図１に、リンク情報配送システムの一実施形態として、インターネットを介して接続されたライブラリ・リンクサーバ１００とユーザ端末３００を備えたシステムを一例として説明する。このシステムでは、ライブラリ・リンクサーバ１００は、年鑑記事であるコンテンツの検索要求を受けて、検索キー入力用の画面をユーザ端末３００に提供する。ライブラリ・リンクサーバ１００は、ユーザにより入力された検索キーをユーザ端末３００から受信し（▲１▼）、その検索キーに基づくリンク情報を検索して（▲２▼）、リンク一覧をユーザ端末３００に提供する（▲３▼）。ユーザ端末３００は、ユーザにより選択されたリンクによりコンテンツをリクエストするとともに、そのリンクに付与されている知識ＩＤを送信する（▲４▼）。ライブラリ・リンクサーバ１００は、その知識ＩＤに基づくリンク情報を検索して新たなリンク一覧を生成し、コンテンツとともに新たなリンク一覧をユーザ端末３００に提供する（▲５▼▲６▼）。
【００３８】
図２に、ライブラリ・リンクサーバ１００のハードウエア構成例を示す。ＣＰＵ１２０は、バスラインを介して、マウス・キーボード１２２、ディスプレイ１２４、メモリ１２６、ハードディスク１２８、フレキシブルディスク・ドライブ（ＦＤＤ）１３０、ＣＤ−ＲＯＭドライブ１３２などに接続されている。ハードディスク１２８には、知識ＩＤに関連づけてリンク情報が記録されているリンク情報ＤＢ１５０（図３）、年鑑記事のコンテンツを記憶する年鑑記事ＤＢ、リンク情報ＤＢ１５０から所定のリンク情報を抽出しリンク一覧を生成するリンク一覧生成プログラム、コンテンツ（リンク情報）に知識ＩＤを付与するための知識ＩＤ付与プログラム、リクエストを受けてコンテンツをレスポンスするＣＧＩ（ｃｏｍｍｏｎ  ｇａｔｅｗａｙ  ｉｎｔｅｒｆａｃｅ）プログラム、オペレーティングシステム（ＯＳ）などが記憶されている。
【００３９】
なお、図３に示すリンク情報ＤＢには、リンク情報として、ＵＲＬ、タイトル、サマリーなどが記録されている。また、知識ＩＤは、後述する知識辞書における知識情報（知識名、定義語等）を識別するものであり、コンテンツと知識情報との適合性に基づいて、コンテンツ（リンク情報）に対して付与されるものである。
【００４０】
また、ハードディスク１２８に記憶されているリンク一覧生成プログラム等は、ＣＤ−ＲＯＭドライブ１３２を介してＣＤ−ＲＯＭ１３４等からインストールされたものである。また、このリンク一覧生成プログラム等は、ＦＤＤ１３０を介して、フレキシブルディスクから取り込んでもよく、ネットワーク等を介して他のコンピュータからダウンロードしたものでもよい。ユーザ端末３００のハードウエア構成も、ライブラリ・リンクサーバ１００と基本的に同様である（図２参照）。このハードディスクには、インターネットに接続してウエブページを閲覧するためのブラウザプログラム、オペレーティングシステムなどが記憶されている。
【００４１】
２．  処理の内容
図４ａ、図４ｂに、ライブラリ・リンクサーバ１００によって新たなリンク一覧ページを生成するときのフローチャートを示す。なお、図３に示すリンク情報ＤＢ１５０における各リンク情報に知識ＩＤを付与する処理ついては、後述する。
【００４２】
まず、ユーザ端末３００は、年鑑記事の検索要求をライブラリ・リンクサーバ１００に送信し、検索キー入力用の画面として図５に示す年鑑記事検索画面を受信し表示する（ステップＳ１０）。ユーザは、年鑑記事検索画面において所望の検索キーワードを選択する（ステップＳ１２）。この検索画面には、後述する知識辞書の知識情報（知識名と、その定義に関連する補助定義語等）が列挙されている（図１３Ａの知識辞書参照）。ここでは、ＡＡ競技場で行われたスポーツ記事を得る目的で、検索キーワード「知識名：ＡＡ競技場、定義語：競技場、補助定義語：吹田市（知識ＩＤ：００１）」が選択される。
【００４３】
ユーザ端末３００は、選択された知識情報を識別する知識ＩＤ「００１」を、ライブラリ・リンクサーバ１００に送信してリンク一覧を要求する（ステップＳ１４）。ライブラリ・リンクサーバ１００は、知識ＩＤ「００１」を検索キーとしてリンク情報ＤＢ１５０からリンク情報を検索し、検索結果から図６Ａに示すリンク一覧ページを生成する（ステップＳ１６）。このリンク一覧中の各リンク情報に関連づけて、各リンク情報に与えられている知識ＩＤが組み込まれる。例えば、リンク情報「サッカー○○杯」に関連づけて、知識ＩＤ「００１、００８」が組み込まれる（図３参照）。
【００４４】
また、図７に、図６Ａのリンク一覧をＨＴＭＬ形式で記述したものを示す。＜Ａ〜＞タグ４００と＜／Ａ＞タグ４０２で囲まれた部分に、ＵＲＬとともにＪａｖａスクリプト（商標）を組み込む（ステップＳ１６）。このスクリプトは、タイトルが表示されたリンク領域がクリックされたときに、コンテンツのリクエストを行う部分４２０と、リンク一覧の更新を指令する部分４４０があり、両者の処理を同時に実行する手順を記述したものである。なお、リンク一覧の更新指令の部分４４０には、知識ＩＤ「００１、００８」がコンテンツＩＤ「１２００」とともに組み込まれている。
【００４５】
そして、知識ＩＤとスクリプトが組み込まれたリンク一覧ページをユーザ端末３００に送信する（ステップＳ１８）。ユーザ端末３００は、図６Ａに示すリンク一覧ページを表示する（ステップＳ２０）。
【００４６】
次に、ユーザ端末３００は、項目「サッカー○○杯」５００がユーザにより選択されると、その項目のリンク先ＵＲＬの指定ではなく、図７に示すスクリプトに記述された処理手順にしたがって、上述の２つの処理を実行する（ステップＳ３０、Ｓ３２）。つまり、リンク先ＵＲＬにより、ライブラリ・リンクサーバ１００に接続してコンテンツのリクエストを行うとともに、選択項目「サッカー○○杯」に付与されている知識ＩＤ「００１、００８」を送信する（リンク一覧の生成指令の送信）。
【００４７】
ライブラリ・リンクサーバ１００では、ＣＧＩプログラムが実行されて、年鑑記事ＤＢにおいてコンテンツが検索され、ＨＴＭＬ形式に変換された図８Ａに示すウエブページ（コンテンツ：サッカー○○杯）を、ユーザ端末３００のブラウザプログラムに送信する（ステップＳ３４、Ｓ３６）。
【００４８】
ライブラリ・リンクサーバ１００は、さらに、図３に示すリンク情報ＤＢ１５０において、受信した知識ＩＤ「００１」または「００８」と同一の知識ＩＤ（その知識ＩＤが付与されたリンク情報）を検索する（ステップＳ３８）。そして、知識ＩＤ「００１」または「００８」が付与されているリンク情報（タイトル、ＵＲＬ等）により、図６Ｂに示す新たなリンク一覧ページを生成する（ステップＳ４０）。また、各リンク情報に付与されている知識ＩＤを抽出し、これらをリンク一覧ページの各リンク情報に関連づけて組み込む。
【００４９】
図３に示すように、図６Ｂを示すリンク一覧ページを構成するタイトルと知識ＩＤは、「サッカー○○杯、知識ＩＤ：００１、００８」、「吹田市□□大会、知識ＩＤ：００１、０９０」、「テニス××カップ、知識ＩＤ：００８、０１２」  、「□□サッカー選手権、知識ＩＤ：００１、００８」である。
【００５０】
そして、ライブラリ・リンクサーバ１００は、新たに生成したリンク一覧ページをユーザ端末３００に送信する（ステップＳ４２）。ユーザ端末３００は、ライブラリ・リンクサーバ１００から受信したコンテンツ（図８Ａ）と、新たなリンク一覧ページ（図６Ｂ）を表示する（ステップＳ４４）。このとき、コンテンツをリンク一覧より前方に表示することが好ましい。つまり、コンテンツのウエブページがユーザにより消去されると、リンク一覧ページがユーザに提示される。
【００５１】
３．  他の実施例
なお、上述の実施形態では、図６Ｂに示すリンク一覧ページにおいて、所定の項目（リンク）が選択されたときに、その項目に付与されている知識ＩＤにより新たなリンク一覧ページを生成している。しかしながら、ウエブページ内に「リンク一覧の更新指令ボタン」を設け、ユーザによりクリックされたときにリンク一覧ページを生成してもよい。例えば、図８Ｂに示すウエブページ（○○野球大会）の閲覧時に、ライブラリ・リンクボタン６００がユーザによりクリックされて初めて、そのコンテンツに付与されている知識ＩＤ「０１０、０２０、０２２」がライブラリ・リンクサーバ１００に送信され、その知識ＩＤを用いてリンク一覧ページが生成される。言い換えれば、ライブラリ・リンクボタン６００がクリックされなければ、リンク一覧ページの生成処理は行われない。
【００５２】
また、上述の実施形態では、ライブラリ・リンクサーバ１００が、リンク情報ＤＢ１５０とともにコンテンツＤＢ（年鑑記事ＤＢ）を備え、コンテンツとリンク一覧ページをユーザ端末３００に提供している。しかしながら、図９ａに示すように、インターネット上のコンテンツサーバがコンテンツＤＢを備え、コンテンツサーバにおいて提供されるコンテンツのリンク一覧を、ライブラリ・リンクサーバ１００が提供してもよい。この場合、図４ｂステップＳ３２において、ユーザ端末３００は、コンテンツサーバにリクエストを行うとともに、ライブラリ・リンクサーバ１００に知識ＩＤを送信する。
【００５３】
また、リクエストを受けたコンテンツサーバが、要求されたコンテンツの知識ＩＤを取得し、ライブラリ・リンクサーバ１００においてリンク一覧ページを生成させてもよい。この処理の一例を、図９ｂを用いて説明する。ライブラリ・リンクサーバ１００は、コンテンツＩＤに対応づけて知識ＩＤを記憶するテーブルと、それを利用して知識ＩＤを取得するプログラムを備える。ユーザ端末３００からリクエストを受けたコンテンツのＩＤから知識ＩＤを得て、ライブラリ・リンクサーバ１００に送信する。この場合には、ユーザ端末３００からライブラリ・リンクサーバ１００に知識ＩＤを送信する必要もない。なお、コンテンツサーバは、知識ＩＤではなくコンテンツＩＤをライブラリ・リンクサーバ１００に送信し、ライブラリ・リンクサーバ１００において知識ＩＤを得て、リンク一覧ページを生成してもよい。
【００５４】
また、上述の実施形態では、ライブラリ・リンクサーバ１００は、ユーザ端末３００から受信した複数の各知識ＩＤを、ＯＲ条件で、リンク情報（ＵＲＬ、タイトル等）を検索している（図４ｂステップＳ３８）。しかしながら、各知識ＩＤをＡＮＤ条件で、リンク情報を検索してもよい。例えば、図３に示すように、知識ＩＤ「００１、００８」をＯＲ条件で検索すると「サッカー○○杯、吹田市□□大会、テニス××カップ、□□サッカー選手権」が抽出されるが、ＡＮＤ条件で検索すると「サッカー○○杯、□サッカー選手権」のみ抽出されることとなる（図６Ｂと図１０Ａ参照）。このように、ＡＮＤ条件で検索すると、リンク一覧ページにおいて、ユーザに興味のあるリンク情報がより効率的に提示される。
【００５５】
また、上述の実施形態では、ユーザにより選択された項目「サッカー○○杯」５００の知識ＩＤ「００１、００８」に基づいて、リンク情報を検索しリンク一覧を生成している（図４ｂステップＳ３８）。この場合、リンク情報の検索キーとなる知識ＩＤには、当初の検索キーワード「ＡＡ競技場」の知識ＩＤ「００１」を含んでいる。しかしながら、当初の検索キーワードの知識ＩＤを除外して、リンク情報を検索してもよい。つまり、知識ＩＤ「００８」に基づいてリンク一覧が生成してもよい。
【００５６】
また、上述の実施形態では、図５に示す年鑑記事検索画面において検索キーワードを選択しているが、フリーキーワードの入力でもよい。この場合、年鑑記事ＤＢのコンテンツデータとのマッチングによって、当初のリンク一覧を生成する。なお、フリーキーワードに基づいて、後述する知識辞書から知識ＩＤを抽出し、その知識ＩＤを用いて上述のようにリンク一覧を生成してもよい。
【００５７】
また、上述の実施形態では、図６Ｂに示す新たなリンク一覧ページを生成しているが、新たなリンク一覧ページの表示形態はこれに限られるものではない。例えば、図１０Ｂに示すように、当初のリンク一覧（図６Ａ）と新たに生成されたリンク一覧（図６Ｂ）を、別々のフレームに表示してもよい。また、当初のリンク一覧の後方または前方に、新たに生成したリンク一覧を追加してもよい。また、図８Ｂに示すライブラリ・リンクボタン６００をクリックすることにより新たなリンク一覧が生成される場合には、図１１に示すように、閲覧中のコンテンツ（図８Ｂ）と新たに生成されたリンク一覧（図６Ｂ）を、別々のフレームに表示してもよい。
【００５８】
また、上述の実施形態では、ユーザ端末３００は、リンク一覧ページに組み込まれた状態で、図７に示すスクリプトを取得している（図４ａステップＳ１８、Ｓ２０）。しかしながら、ネットワーク等を介して他のコンピュータからダウンロードしてもよく、また、記録媒体からインストールしてもよい。
【００５９】
また、上述の実施形態では、リンク情報（リンク一覧における項目）に付与された知識ＩＤを、ライブラリ・リンクサーバ１００に送信する場合を一例として説明している。しかしながら、知識ＩＤは一例であり、それ以外の識別データ（または属性データ）をライブラリ・リンクサーバ１００に送信してもよい。この場合、ライブラリ・リンクサーバ１００は、その識別データに基づいて新たなリンク一覧ページを生成したり、識別データをいったん知識ＩＤに変換してリンク一覧ページを生成してもよい。
【００６０】
また、上述の実施形態において、ライブラリ・リンクサーバ１００がリンク情報ＤＢ１５０を備えているが、複数のコンテンツ提供装置が、分散してリンク情報ＤＢを備えていてもよい。この処理の一例を、図１２を用いて説明する。複数の各コンテンツ提供者が、各コンテンツ提供装置２２０、２４０、２６０にて各自のリンク情報ＤＢ（年鑑記事、百科事典、新聞記事のコンテンツに関するリンク情報）を備え、各自でリンク情報の更新を行う。ライブラリ・リンクサーバ１００は、ユーザ端末３００から知識ＩＤを受信すると、所定のコンテンツ提供装置に問い合わせて最新のリンク情報を取得し、リンク一覧ページを生成する。つまり、各コンテンツ提供者が各自で更新を行うため、様々な種類のコンテンツについての最新のリンク情報を提供することができる。また、各コンテンツ提供者が各自で更新を行うため、コンテンツごとに更新間隔が異なる場合に有用である。
【００６１】
また、別例として、ライブラリ・リンクサーバ１００が、所定の期間ごとに、所定の巡回方法により、複数のコンテンツ提供装置を巡回し、各コンテンツ提供装置が保有するコンテンツを取得して、ライブラリ・リンクサーバ１００のリンク情報ＤＢ１５０を更新してもよい。この場合、取得したコンテンツの知識ＩＤを決定して、リンク情報とともに登録する。
【００６２】
また、上述の実施形態では、新たに生成したリンク一覧ページ（図６Ｂ）に知識ＩＤを組み込んで、ユーザ端末３００に送信しているが、新たに生成したリンク一覧ページに、知識ＩＤを組み込まなくてもよい。また、当初のリンク一覧ページ（図６Ａ）では、すべての各リンク情報に知識ＩＤを組み込んでいるが、一部のリンク情報だけでもよい。
【００６３】
また、上述の実施形態では、年鑑記事のコンテンツを提供する場合を一例として説明しているが、それ以外の内容のコンテンツであってもよい。また、上述の実施形態では、Ｊａｖａスクリプト（商標）を用いる場合を一例として説明しているが、その他のＷＷＷ用のスクリプト言語を用いてもよい。
【００６４】
また、上述の実施形態では、リンク一覧生成プログラム等は、オペレーティングと共同して上記の機能を実現しているが、その機能の一部または全部を、リンク一覧生成プログラム等が単独で実現するようにしてもよい。また、上述の実施形態では、ライブラリ・リンクサーバ１００とユーザ端末３００間をインターネットで接続しているが、インターネット以外のネットワーク、例えば、ＬＡＮ（Ｌｏｃａｌ  Ａｒｅａ  Ｎｅｔｗｏｒｋ）を介して通信可能にしてもよい。また、上述の実施形態におけるユーザ端末３００は、パーソナルコンピュータに限られるものではなく、携帯電話、ＰＤＡ（Ｐｅｒｓｏｎａｌ  Ｄｉｄｉｔａｌ  Ａｓｓｉｓｔａｎｓ）などの携帯情報端末であってもよい。
【００６５】
４  知識ＩＤの付与処理
以下に、ライブラリ・リンクサーバ１００が、知識ＩＤ付与プログラムにより、各コンテンツ（リンク情報）に対して、図１３Ａに示す知識辞書における知識ＩＤを付与するときの処理について説明する。なお、知識辞書の内容や生成方法については、後述する。
【００６６】
ライブラリ・リンクサーバ１００のハードディスク１２８には、知識ＩＤ付与プログラム等の他に、複数の知識情報（知識名、補助定義語等）が記録されている知識辞書（図１３Ａ）、各コンテンツのタイトルやリンク情報が記憶されているＩｎｄｅｘテーブル（図１４Ａ）、コンテンツが蓄積されているコンテンツＤＢなどが記憶されている。図１４Ａに示すＩｎｄｅｘテーブルには、コンテンツＩＤに対応づけて、リンク情報（タイトル、ＵＲＬなど）が記録されている。
【００６７】
図１５に、知識辞書を利用してコンテンツに知識ＩＤを付与するときのフローチャートを示す。また、図１６に、知識辞書の知識情報とコンテンツとの適合性を判定するときのフローチャートを示す。
【００６８】
ＣＰＵ１２０は、図１４Ａに示すＩｎｄｅｘテーブルのリンクにより、コンテンツＤＢからコンテンツを順次読み込み、図１３Ａに示す知識辞書の知識情報とコンテンツとの適合性を判定する処理を行う（ステップＳ１００、Ｓ１０２）。この判定処理では、知識辞書を用いた文書全体に対するパターンマッチング方式を採用する。例えば、図１３Ｂに示すコンテンツ（サッカー○○杯）を読み込んだときの、知識情報との適合性を判定する場合について説明する。
【００６９】
知識辞書から知識情報「ＩＤ：００１、知識名：ＡＡ競技場、定義語：競技場、補助定義語：吹田市」を読み取り、図１３Ｂに示すコンテンツにて知識名「ＡＡ競技場」がヒットするか否かを判別する（ステップＳ１２０、Ｓ１２２）。ヒットすると判別し、補助定義語「吹田市」がヒットするか否かを判別する（ステップＳ１２４、Ｓ１２６）。ヒットすると判別して記述有り（○印）を記録する（ステップＳ１２８、Ｓ１３０）。つまり、図１７Ａに示す「補助定義語・適合度」欄において、「吹田市」と記事番号「０」に対応づけて丸印を記録することにより、補助定義語がヒットしたことが記録される。連想語は存在しないため、次の知識情報との判定処理を行う（ステップＳ１３２〜Ｓ１３８）。
【００７０】
例えば、知識情報「ＩＤ：００８、知識名：ＣＣ会社、定義語：チーム、補助定義語：サッカー」との適合性を判定する場合、図１３Ｂに示すコンテンツにて知識名「ＣＣ会社」がヒットするか否かを判別する（ステップＳ１２０、Ｓ１２２）。ヒットすると判別し、補助定義語「サッカー」がヒットするか否かを判別する（ステップＳ１２４、Ｓ１２６）。題目において「サッカー」が記述されているため、ヒットすると判別して記述有り（○印）を記録する（ステップＳ１２８、Ｓ１３０、図１７Ｂ参照）。このように、図１３Ｂに示すコンテンツ（サッカー○○杯）に対して、知識辞書におけるすべて知識情報との適合性を判定する処理を行う。
【００７１】
次に、図１７Ａや図１７Ｂのような知識情報の記述の有無を示す情報に基づいて、コンテンツ（サッカー○○杯）に対して知識ＩＤを付与する（ステップＳ１０４、Ｓ１０６）。つまり、知識ＩＤが、コンテンツと知識情報との適合性に基づいて付与される。ここでは、知識名がヒットし、かつ、少なくとも補助定義語または連想語がヒットした知識情報の知識ＩＤを付与する。
【００７２】
ゆえに、知識ＩＤ「００１、００８」が、コンテンツ（サッカー○○杯）に付与される。同様の処理により、コンテンツＤＢにおける他のコンテンツについても知識ＩＤを付与する。知識ＩＤの付与処理が終了したときのＩｎｄｅｘテーブルを、図１４Ｂに示す。このＩｎｄｅｘテーブルを用いて、上述のリンク情報ＤＢ１５０を生成する。
【００７３】
以上のように、知識名および補助定義語等との適合性を判断することにより、コンテンツの内容をより正確に考慮して、コンテンツ（リンク情報）に知識ＩＤを付与する。ゆえに、ユーザにより選択されたリンク情報に付与された知識ＩＤを検索キーとしてリンク情報を抽出すれば、ユーザの興味にあったリンク一覧を生成することができる。
【００７４】
なお、上述の例では、ライブラリ・リンクサーバ１００が、それ自身が備えるコンテンツＤＢにおけるコンテンツに知識ＩＤを付与する場合を説明している。しかしながら、インターネット上のコンテンツサーバが備えるコンテンツＤＢにおけるコンテンツに知識ＩＤを付与してもよい。図１８に、この処理の概要図を示す。つまり、インターネットを介して、コンテンツサーバからコンテンツを取得して、知識辞書を用いて知識ＩＤを付与し、リンク情報ＤＢ１５０を生成する。上述の図９ａや図１２に示すシステムに有用である。
【００７５】
５  知識辞書について
以下に、図１３Ａに示す知識辞書について説明する。この知識辞書には、知識ＩＤに対応づけて、「知識名」と、知識名の定義に関連する「定義語、補助定義語、連想語」が記録されている。定義語や補助定義語は、知識名の意味や概念等を説明する上で用いられる用語に該当し、言い換えれば、知識名と意味的または概念的な関連性のある用語に該当する。
【００７６】
例えば、知識ＩＤ「０５０」の知識名「大島（島の名称）」について、その地域情報を説明する上で用いられる用語「島、伊豆諸島、最北部、最大」が、定義語や補助定義語に該当する（図１３Ａ参照）。また、それらの用語の中で、知識名「大島」の分野や範疇を表す用語や上位概念にあたる用語（「島」）が、定義語に該当する。また、知識名「大島」から一般的に連想されるような用語「三原山」が、連想語に該当する。
【００７７】
なお、定義語は、知識名の分野等を表す用語や上位概念にあたる用語に限られるものではなく、補助定義語と同種のものであってもよい。また、連想語は、知識名から一般的に連想される用語に限られるものではなく、補助定義語や定義語と同種のものであってもよい。
【００７８】
また、定義語、補助定義語または連想語は、知識名の下位概念にあたる用語であってもよい。例えば、知識名「合成樹脂」に対し、その下位概念にあたる「熱可塑性樹脂、熱硬化性樹脂」等を、補助定義語等として設定してもよい。また、知識名と分野や範疇を共通にするものや、知識名と意味的に同一または類似するものであって言語体系の異なる国語で表記されたものを、補助定義語等として設定してもよい。また、知識名や補助定義語等は、語句に限られるものではなく、記号や数字であってもよく、語句の場合には、名詞に限られるものではなく、他の品詞（動詞、形容詞等）であってもよい。
【００７９】
５．  知識辞書の生成方法
図１９に、知識辞書の生成を行う知識情報作成装置によるフローチャートを示す。なお、知識情報作成装置のハードウエア構成も、図２に示すものと基本的に同様であり、このハードウエアには、知識情報を作成するための知識情報作成プログラムや、知識情報を作成するためのコンテンツが蓄積されたデータベース等が記憶されている。
【００８０】
例えば、図１３Ａに示す知識情報「知識名：大島、定義語：島、補助定義語：伊豆大島・最北部・最大、連想語：三原山」を、図２０に示すＨＴＭＬで記述されたコンテンツから作成する場合について説明する。
【００８１】
知識情報作成装置は、コンテンツを読み込み、＜ＴＩＴＬＥ＞タグ８０１および＜／ＴＩＴＬＥ＞タグ８０３で囲まれたテキスト情報「大島」を、知識名データとして決定し、メモリに記憶する（ステップＳ２００、Ｓ２０２）。
【００８２】
次に、知識名データ「大島」に対して知識ＩＤ「０５０」を付与する（ステップＳ２０４）。ここでは、知識情報を識別するためのデータの一例として、連続番号を用いる。
【００８３】
次に、図２０に示すコンテンツにおいて、＜ＢＯＤＹ＞タグ８０５および＜／ＢＯＤＹ＞タグ８０７を検索することにより、これらのタグで囲まれた内容部分を検出し、この内容部分の１行目の文を、特徴部分データとして取得する（ステップＳ２０６）。ここでは、＜ＢＯＤＹ＞タグ８０５以降であって、最初の句点「。」が登場するまでのテキスト部分のから、タグ部分（＜Ｐ＞タグ、＜Ａ＞タグ等）を除いた部分を１行目の文として取得する。つまり、”＜Ｐ＞＜Ａ  ＨＲＦＦ＝”ｉｚｕｓｙｏｔｏｕ．ｈｔｍｌ”＞伊豆諸島＜／Ａ＞最北部にある最大の島。”からタグ部分を除いた「伊豆諸島最北部にある最大の島。」が、１行目の文であり、特徴部分データに該当する。
【００８４】
次に、＜ＢＯＤＹ＞タグ８０５および＜／ＢＯＤＹ＞タグ８０７で囲まれた内容部分の１行目の文について、図２１に示すように、最小の言語単位である形態素解析を行う（ステップＳ２０８）。さらに、形態素ごとに品詞を付してメモリに格納し、これれから、名詞の形態素（「伊豆諸島、最北部、最大、島」）を抽出し、メモリに記憶する。
【００８５】
次に、抽出したデータのうち末尾の語「島」を定義語として決定し、それ以外のデータ「伊豆諸島、最北部、最大」を補助定義語として決定し、メモリに記憶する（ステップＳ２１０）。
【００８６】
次に、図２０に示すコンテンツにおいて、＜Ａ〜＞タグ８０９および＜／Ａ＞タグ８１１を検索することにより、これらのタグで囲まれた部分をリンク情報として検出する。ここでは、”＜Ａ  ＨＲＦＦ＝”ｉｚｕｓｙｏｔｏｕ．ｈｔｍｌ”＞伊豆諸島＜／Ａ＞”から「伊豆諸島」のリンク情報が検出され、また、”＜Ａ  ＨＲＦＦ＝”ｍｉｈａｒａｙａｍａ．ｈｔｍｌ”＞三原山＜／Ａ＞”から「三原山」のリンク情報を検出する。これらのリンク情報を連想語データとして決定し、メモリに記憶する（ステップＳ２１２）。なお、補助定義語と重複する「伊豆諸島」については、連想語から除外する。
【００８７】
以上の処理においてメモリに記憶された「知識名、知識ＩＤ、定義語、補助定義語、連想語」を、知識情報として図１３Ａに示す知識辞書に記録する（ステップＳ２１４）。知識情報を作成するためのコンテンツが他に存在する場合には、ステップＳ２００に戻り、上述の知識情報の生成処理を再度実行する（ステップＳ２１６）。
【００８８】
なお、知識情報の作成に用いるコンテンツとして、ある用語の意味や概念等の説明が、その用語のタイトルを示す項目とともに記述されたコンテンツを用いることが好ましい。例えば、百科事典や、地域情報、会社情報等のコンテンツである。また、上述の例では、連想語データの決定において、補助定義語と重複する「伊豆諸島」について除外しているが、除外せずに、補助定義語と重複していてもよい。
【００８９】
また、上述の例では、１行目の文を形態素解析した結果に基づいて、定義語や補助定義語を抽出しているが、他の文から補助定義語等を抽出してもよい。例えば、任意の行の文や、最も多くの語を含む文に基づいて、補助定義語等を抽出するように構成してもよい。また、タイトルが文の先頭にある文に基づいて、補助定義語等を抽出してもよい。さらに、タイトルを構成する語が、その文の末尾近傍（例えば、その文を構成する文字列において、下位１０％以下に位置する語が存在する箇所）に存在する文に基づいて、補助定義語等を抽出してもよい。
【００９０】
また、上述の例では、形態素解析の結果から、名詞のみ形態素を、補助定義語等として抽出したが、他の品詞（動詞や形容詞等）の形態素を、補助定義語等として抽出してもよい。
【００９１】
また、上記の例では、形態解析により抽出したデータのうち末尾の語を、定義語として抽出しているが、知識名データとの係り受け関係（２つの文節間において修飾関係にあること）に基づいて抽出してもよい。例えば、「大島は、伊豆諸島最北部にある最大の島である。」という文では、「大島は」は係り文節であり、「島である」は受け文節であり、両者は係り受け関係にある。ゆえに、知識名データが「大島」であるとき、この「大島」を含む係り文節「大島は」と係り受け関係にある文節「島である」から抽出される語「島」を、定義語として抽出してもよい。
【００９２】
また、人間が、知識情報を、直接コンピュータに入力して、知識情報を作成してもよい。例えば、百科事典や、地域情報、会社情報が記述された本等を見ながら、「定義語、補助定義語、連想語」となるべき用語を考慮して、知識情報を設定してもよい。
【図面の簡単な説明】
【図１】一実施形態におけるリンク情報配送システムの全体構成を示す。
【図２】ライブラリ・リンクサーバ１００のハードウエア構成を示す図である。
【図３】リンク情報ＤＢ１５０を示す図である。
【図４ａ】新たなリンク一覧ページを生成するときのフローチャートである。
【図４ｂ】新たなリンク一覧ページを生成するときのフローチャートである。
【図５】年鑑記事検索画面を示す図である。
【図６】リンク一覧ページを示す図である。
【図７】デュアルアクションを実行するスクリプトを示す図である。
【図８】ライブラリ・リンクサーバ１００が提供するウエブページを示す図である。
【図９ａ】他の実施形態におけるリンク情報配送システムの処理の概略を示す。
【図９ｂ】他の実施形態におけるリンク情報配送システムの処理の概略を示す。
【図１０】他の実施形態におけるリンク一覧ページを示す図である。
【図１１】他の実施形態におけるリンク一覧ページを示す図である。
【図１２】他の実施形態におけるリンク情報配送システムの処理の概略を示す図である。
【図１３】知識辞書およびコンテンツ（サッカー○○杯）を示す図である。
【図１４】ライブラリ・リンクサーバ１００が備えるＩｎｄｅｘテーブルを示す図である。
【図１５】コンテンツに知識ＩＤを付与するときのフローチャートである。
【図１６】知識辞書の知識情報とコンテンツとの適合性を判定するときのフローチャートである。
【図１７】コンテンツと知識情報との適合性の判定処理を示す概念図である。
【図１８】インターネット上のコンテンツサーバが提供するコンテンツに、知識ＩＤを付与するときの概念図である。
【図１９】知識情報を生成するときのフローチャートである。
【図２０】ＨＴＭＬ形式で記述されたコンテンツを示す図である。
【図２１】形態素解析の処理概念を示す図である。
【符号の説明】
１００・・・・ライブラリ・リンクサーバ
１２０・・・・ライブラリ・リンクサーバのＣＰＵ
１５０・・・・リンク情報ＤＢ
３００・・・・ユーザ端末
【図１】
2005011175.tif 000003
【図２】
2005011175.tif 000004
【図３】
2005011175.tif 000005
【図４ａ】
2005011175.tif 000006
【図４ｂ】
2005011175.tif 000007
【図５】
2005011175.tif 000008
【図６】
2005011175.tif 000009
【図７】
2005011175.tif 000010
【図８】
2005011175.tif 000011
【図９ａ】
2005011175.tif 000012
【図９ｂ】
2005011175.tif 000013
【図１０】
2005011175.tif 000014
【図１１】
2005011175.tif 000015
【図１２】
2005011175.tif 000016
【図１３】
2005011175.tif 000017
【図１４】
2005011175.tif 000018
【図１５】
2005011175.tif 000019
【図１６】
2005011175.tif 000020
【図１７】
2005011175.tif 000021
【図１８】
2005011175.tif 000022
【図１９】
2005011175.tif 000023
【図２０】
2005011175.tif 000024
【図２１】
2005011175.tif 000025